(57)【要約】【課題】術中でも主ランプは点灯した状態で手術を妨げることなく短時間でランプの交換を行う。【解決手段】主ランプ２１が寿命になった場合、光源装置１に設けられたランプ扉２５を開けると、開閉を検知する扉開閉検知部２３がＣＰＵ１０へ信号を送り、駆動回転軸１６と連動してランプ固定部材１５が回転し、主ランプ２１から交換ランプ２２に切り替わる。交換ランプ２２が点灯し、主ランプ２１がランプ扉２５側に回転移動すると、主ランプ２１のランプ固定部材１５側のメイン電極１７はランプ電源１９のランプ電極２０と離れ、電流が流れなくなり、交換ランプ２２のランプ固定部材１５側のメイン電極１７がランプ電源のランプ電極２０と接地し、点灯する。【選択図】  図２
2004261521.tif 000002
【特許請求の範囲】
【請求項１】
照明光を発生可能な複数の光源ランプと、
前記複数の光源ランプのそれぞれを異なる照射方向で着脱自在に保持可能な複数の保持部を有するランプ保持部材と、
前記照明光を出射可能な照明光出射部が設けられた外装を有する本体部と、
前記本体部の内部に設けられ、前記ランプ保持部材に保持された前記光源ランプの前記照射方向を選択的に前記照明光出射部に略一致可能に前記ランプ保持手段を回動自在に支持するための支持軸と、
前記本体部の前記外装に設けられ、開閉自在なランプ扉と、
前記ランプ扉の開閉動作に応じて、前記光源ランプの一つを照射方向が前記照明光出射部に略一致した使用位置に移動するとともに前記光源ランプの異なる一つを前記ランプ扉より交換可能な交換位置に移動する移動制御手段と
を具備したことを特徴とする光源装置。
【発明の詳細な説明】
【０００１】
【発明の属する技術分野】
本発明は、内視鏡に照明光を供給する光源装置に関する。
【０００２】
【従来の技術】
従来より内視鏡装置の光源装置においては、ランプ切れが生じてランプを交換する際には、ハウジングを外して行っていたが、このような作業が繁雑なため、例えば特開昭６１−１０８０３号公報等では、ランプ切替えの際に、反射ミラー内に位置するランプを光軸方向に移動させ、かつ操作ツマミを回転させてランプを切替える内視鏡光源装置が提案されている。
【０００３】
【特許文献１】
特開昭６１−１０８０３号公報
【０００４】
【発明が解決しようとする課題】
しかしながら、上記特開昭６１−１０８０３号公報提案の光源装置においては、短時間でランプの切替えを行うことが可能であるが、この場合、ランプ交換の際にはランプに過剰な負荷をかけながらランプソケットに取り付けるため、ランプのガラス面が割れたり、指紋がつき汚れてしまうという不具合を生じる可能性がある。また、ランプ交換時は内視鏡光源装置を使用することが出来ないため、術中にランプの寿命が来た場合、手術を中断し交換しなければならないという不具合を生じる可能性もある。
【０００５】
本発明は、上記事情に鑑みてなされたものであり、術中でも主ランプは点灯した状態で手術を妨げることなく短時間でランプの交換を行うことのできる光源装置を提供することを目的としている。
【０００６】
【課題を解決するための手段】
本発明の光源装置は、照明光を発生可能な複数の光源ランプと、前記複数の光源ランプのそれぞれを異なる照射方向で着脱自在に保持可能な複数の保持部を有するランプ保持部材と、前記照明光を出射可能な照明光出射部が設けられた外装を有する本体部と、前記本体部の内部に設けられ前記ランプ保持部材に保持された前記光源ランプの前記照射方向を選択的に前記照明光出射部に略一致可能に前記ランプ保持手段を回動自在に支持するための支持軸と、前記本体部の前記外装に設けられ開閉自在なランプ扉と、前記ランプ扉の開閉動作に応じて前記光源ランプの一つを照射方向が前記照明光出射部に略一致した使用位置に移動するとともに前記光源ランプの異なる一つを前記ランプ扉より交換可能な交換位置に移動する移動制御手段とを具備して構成される。
【０００７】
【発明の実施の形態】
以下、図面を参照しながら本発明の実施の形態について述べる。
【０００８】
第１の実施の形態：
図１ないし図４は本発明の第１の実施の形態に係わり、図１は光源装置の構成を示す構成図、図２は図１のランプユニットの構成を示す構成図、図３は図２のランプユニットの第１の変形例の構成を示す図、図４は図２のランプユニットの第２の変形例の構成を示す図である。
【０００９】
（構成）
図１に示すように、本実施の形態の光源装置１においては、ランプユニット２に設けられているランプの出射光は、絞り３、ライトガイド４、スコープ５を介し被写体６を照明する。
【００１０】
被写体６の映像は、スコープ５を介し、カメラヘッド７内のＣＣＤ素子（図示しない）により電気信号に変換され、ＣＣＵ（カメラコントロールユニット）８で信号処理された後、モニタ９へ映像信号を送ることで、被写体６を観察できるようにしている。
【００１１】
また、光源装置１には、明るさを調整するために、ランプユニット２から発せられた光量を被写体６の明るさが一定となるように、絞り３を駆動制御するＣＰＵ１０を設けている。
【００１２】
図２はランプユニット２の概略構成図を示し、ランプユニット２には、図２に示すように、２つのランプ、すなわち主ランプ２１及び交換ランプ２２がランプ固定部材１５に取り付けられ、ランプ固定部材１５を回転させる駆動回転軸１６が設けられている。
【００１３】
駆動回転軸１６は光源装置１のランプ扉２５の開閉を検知する扉開閉検知部２３でＣＰＵ１０を介し、自動的に回転する。
【００１４】
また、個々のち主ランプ２１及び交換ランプ２２に供給する電極のうち一端（メイン電極１７）は駆動回転軸１６へ、他端（サブ電極１８）はランプ固定部材１５自身が電極の役割をなしている。
【００１５】
個々のち主ランプ２１及び交換ランプ２２のメイン電極１７は駆動回転軸１６で１つになり、ランプ電源１９へ接続されている。さらにランプ電源１９のランプ電極２０は弾性のある部材であり、ランプ固定部材１５と接触することによりち主ランプ２１または交換ランプ２２が点灯するよう構成されている。また、個々のち主ランプ２１及び交換ランプ２２は駆動回転軸１６を中心に一定の角度で均等に配置されている。
【００１６】
（作用）
（１−１）電源を投入した際は主ランプ２１のメイン電極１７とサブ電極１８が接続されているため、点灯し、ライトガイド４へ光を供給する。
【００１７】
（１−２）この時、交換ランプ２２はランプ固定部材１５側のメイン電極１７がランプ電源１９と接触していないため、電流は流れない構造となっている。
【００１８】
（１−３）主ランプ２１が寿命になった場合、光源装置１に設けられたランプ扉２５を開けると、開閉を検知する扉開閉検知部２３がＣＰＵ１０へ信号を送り、駆動回転軸１６と連動してランプ固定部材１５が回転し、主ランプ２１から交換ランプ２２に切り替わる。
【００１９】
（１−４）交換ランプ２２が点灯し、主ランプ２１がランプ扉２５側に回転移動すると、主ランプ２１のランプ固定部材１５側のメイン電極１７はランプ電源１９のランプ電極２０と離れ、電流が流れなくなり、電気的に安全な状態となる。また、交換ランプ２２のランプ固定部材１５側のメイン電極１７がランプ電源のランプ電極２０と接地し、点灯することができる。
【００２０】
（１−５）この時、ランプ扉２５が開いた状態でも交換ランプ２２が点灯した状態でもランプ固定部材１５により交換ランプ２２が発している光はさえぎられ、安全に主ランプ２１が交換可能な状態となる。
【００２１】
（１−６）また、電源が投入された状態となっているため、自然冷却しなくても、図示しない冷却ファンにより主ランプ２１を冷却させることが可能である。
【００２２】
（１−７）主ランプ２１が冷却されたことを確認し、主ランプ２１の交換を行う。
【００２３】
（１−８）尚、交換ランプ２２は図３、４のように等間隔に３つ、４つ配置することも可能であり、同様の交換方法で主ランプ２  １から交換ランプ２２への切替えを行うことができる。なお、駆動回転軸は手動でもよい。
【００２４】
（効果）
以上のように、本実施の形態では、ランプユニット２を光源装置１の外に取り出さず、短時間でランプの交換を行うことが可能である。
【００２５】
また、術中でもランプは点灯した状態で手術を妨げることなくランプの交換が可能である。
【００２６】
さらに、ランプの交換中、主ランプが点灯していてもランプ固定部材により主ランプからの光により日を痛めることはない。
【００２７】
また、交換中のランプには一方の電極に電流が流れないため、交換中も電気的に安全である。
【００２８】
第２の実施の形態：
図５ないし図７は本発明の第２の実施の形態に係わり、図５はランプユニットの構成を示す構成図、図６は図５のランプユニットの作用を説明する図、図７は図５の摺動部材の外観を示す図である。
【００２９】
第２の実施の形態は、第１の実施の形態とほとんど同じであるので、異なる点のみ説明し、同一の構成には同じ符号をつけ説明は省略する。
【００３０】
（構成）
図５、６は反射ミラー２７がランプ固定部材１５に固定され、反射ミラー２７に対して光軸方向にランプ２を移動可能にする摺動部材２８がランプ固定部材１５に配置されている。また、ランプ２は着脱可能なレバー２９にランプソケット３０を介し取り付けられ、摺動部材２８の中を移動する構成となっている。
【００３１】
ランプソケット３０のメイン電極１７は第１実施例と同様に駆動回転軸１６へ、サブ電極１８はレバー２９を介し、レバー２９に設けられた電極突起部３１を介しランプ固定部材１５と接続可能な構成となっている。
【００３２】
図７はランプ２を反射ミラー２７の光軸方向へ移動させる摺動部材２８であり、レバー２９を左右に移動させるための溝３２が設けられ、ランプ２を取り外す際に突き当てる摺動突起部３３も設けられている。
【００３３】
（作用）
（２−１）反射ミラー２７がランプ固定部材１５に固定され、主ランプ２１は別体となっている。
【００３４】
（２−２）主ランプ２１のメイン電極１７は第１の実施の形態と同様に回転軸１６へ、他端はレバー２９の電極突起部３１からランプ固定部材１５を介し、ランプ電源１９に接地し、点灯している。
【００３５】
（２−３）主ランプ２１から交換ランプ２２の切替え方法は第１の実施の形態と同様である。
【００３６】
（２−４）主ランプ２１がランプ扉２５側に来た時、レバー２９を右へ移動させると主ランプ２１が反射ミラー２７から取り出される。
【００３７】
（２−５）レバー２９が摺動部材２８の溝３２を移動し、摺動突起部３３まで到達する。さらにレバー２９を右へ移動させると、主ランプ２１のソケットが摺動突起部３３によって固定されたランプソケット３０と分離する。
【００３８】
（２−６）主ランプ２１が冷却されたのを確認した後、主ランプ２１を取り外し、新ランプ３４を摺動部材２８のランプ設置部３５に置く。
【００３９】
（２−７）レバー２９を左に移動させると、ランプソケット３０と新ランプ３４のソケット３６が接続し、反射ミラー２７内に移動する。
【００４０】
（２−７）新ランプ３４が反射ミラー２７内に到達すると、最終的にランプソケット３０と新ランプ３４のソケット３６が完全に接続すると同時に、レバー２９の摺動突起部３３がランプ固定部材１５と接続される。
【００４１】
（効果）
このように本実施の形態では、第１の実施の効果に加え、交換ランプをランプ設置部に置くだけのため、ランプに過剰な負荷がかからずランプを交換することが可能となる。
【００４２】
本発明は、上述した実施の形態に限定されるものではなく、本発明の要旨を変えない範囲において、種々の変更、改変等が可能である。
【００４３】
【発明の効果】
以上説明したように本発明によれば、術中でも主ランプは点灯した状態で手術を妨げることなく短時間でランプの交換を行うことができるという効果ある。
【図面の簡単な説明】
【図１】本発明の第１の実施の形態に係る光源装置の構成を示す構成図
【図２】図１のランプユニットの構成を示す構成図
【図３】図２のランプユニットの第１の変形例の構成を示す図
【図４】図２のランプユニットの第２の変形例の構成を示す図
【図５】本発明の第２の実施の形態に係るランプユニットの構成を示す構成図
【図６】図５のランプユニットの作用を説明する図
【図７】図５の摺動部材の外観を示す図
【符号の説明】
１…光源装置
２…ランプユニット
３…絞り
４…ライトガイド
５…スコープ
６…被写体
７…カメラヘッド
８…ＣＣＵ
９…モニタ
１０…ＣＰＵ
１５…ランプ固定部材
１６…駆動回転軸
１７…メイン電極
１８…サブ電極
１９…ランプ電源
２０…ランプ電極
２１…主ランプ
２２…交換ランプ
２３…扉開閉検知部
２５…ランプ扉
【図１】
2004261521.tif 000003
【図２】
2004261521.tif 000004
【図３】
2004261521.tif 000005
【図４】
2004261521.tif 000006
【図５】
2004261521.tif 000007
【図６】
2004261521.tif 000008
【図７】
2004261521.tif 000009